(57)【要約】【課題】箱の底面の浮き上がりをなくし、薬品の包装の際に安定度を増大させる。【解決手段】この包装用箱Ｂは４側面、天面、及び一対のフラップ及び一対の底蓋１９Ｆ、１９Ｒからなる底面を備え、各底蓋は底面が略中央で２分割されてなり、底面の略中央で対向する各縁部に複数の凸部１９１及び凹部１９２が交互に各縁部間で凸部と凹部が対応するように形成され、かつ各底蓋の一端部の凹部端に連接して接着片１９３が突出形成され、各底蓋の各接着片が近接する各下フラップに接着固定され、各底蓋間で凸部が凹部に差し込まれて組み合わせられ、４側面が底面とともに折り畳み可能に構成される。【選択図】図１
2014125225.tif 000002
【特許請求の範囲】
【請求項１】
４側面と、一対の上フラップ及び天蓋からなる天面と、一対の下フラップ及び一対の底蓋からなる底面とを備え、各底蓋は底面が略中央で２分割されてなり、底面の略中央で相互に対向する各縁部に凸部及び凹部が各縁部間で凸部と凹部が対応するように形成され、かつ各底蓋の一端部の凹部端に折り畳み線を介して連接する接着片が突出形成され、各底蓋の各接着片が近接する各下フラップに接着固定されるとともに各底蓋間で凸部が凹部から当該凹部側の底蓋の内側に差し込まれて組み合わせられ、４側面が底面とともに略扁平状に折り畳み可能に構成され、折り畳み状態からワンタッチで組み立てられる形式の包装用箱において、
各底蓋の縁部に複数の凸部及び凹部が交互に設けられる、
ことを特徴とする包装用箱。
【請求項２】
各底蓋において各凸部及び各凹部は各底蓋の縁部方向に対応する長さが不均等に形成される請求項１に記載の包装用箱。
【請求項３】
各底蓋において各凸部が略台形状に突出形成され、当該略台形状の先端側の両側角部から両側の辺に向けて略円弧状に形成される請求項１又は２に記載の包装用箱。
【請求項４】
各底蓋において一端部の凹部とこれに連接する接着片との間の縁部が湾曲状に形成されて底面の略中央から対向する底蓋側に迫り出される請求項１乃至３のいすれかに記載の包装用箱。
【請求項５】
天面及び底面は幅方向が広く奥行方向が狭く形成されて、全体が横長の直方体形状に構成される請求項１乃至４のいすれかに記載の包装用箱。
【発明の詳細な説明】
【技術分野】
【０００１】
本発明は、薬品などを包装するのに使用する包装用箱に関し、特に、ワンタッチ組み立て式の包装用箱に関する。
【背景技術】
【０００２】
薬品の包装に使用する従来の包装用箱の一つに、全体が略直方体の箱形に構成され、４側面を底面とともに略扁平状に折り畳んだ状態からワンタッチで組み立てることのできる包装用箱が知られている。この種の包装用箱が例えば特許文献１に開示されている。
この文献１に記載されているように、この種の包装用箱は、正面、左右両側面及び背面の４側面と、一対の上フラップ及び天蓋からなる天面と、一対の下フラップ及び一対の底蓋からなる底面とを備え、特に、各底蓋が底面の略中央で分割されてなり、底面の略中央で相互に対向する各縁部に凸部及び凹部が各縁部間で凸部と凹部が対応するように形成され、また、各底蓋の凹部側の一端部に折り畳み線を介して接着片が突出形成されて、各底蓋の各接着片が近接する各下フラップに接着固定され、各底蓋間で各凸部が各凹部から各底蓋の内側に差し込まれて組み合わせられる。このようにしてこの包装用箱は４側面のうちの相互に隣り合う所定の各側面が内側面を合せて、かつ各底蓋が当該各底蓋が連接される各側面に内側面を合せて、略扁平状に折り畳み可能に構成され、折り畳まれた状態からワンタッチで組み立てられるようになっている。
【先行技術文献】
【特許文献】
【０００３】
【特許文献１】特開２００７−４５４４７公報
【発明の概要】
【発明が解決しようとする課題】
【０００４】
ところで、薬品を包装するための包装用箱は、包装する薬品が例えば薬剤をバイアルなどの容器に収容されたもので、複数の薬品（容器）を一つの箱に一列又は二列にして包装するような場合、当然のことながら、箱の正面幅が広く奥行が狭くなって、箱全体が横長になる。そして、このような横長の包装用箱の場合でも、ワンタッチ組み立て式にしようとすると、上記従来（特許文献１）の包装用箱と同様の構造が採られることになる。
しかしながら、箱の正面幅が広く、この正面幅に対して奥行が狭くなればなるほど、底面の各底蓋の凸部及び凹部もまた横に長くなるために、各底蓋間で各凸部と各凹部の略完全な係合状態が得難く、このため、箱内部で各底蓋が浮き上がり、薬品（容器）の包装の際に各底蓋が浮いていると安定度が低下し、薬品（容器）を箱の中に入れ難くなる、という問題がある。
【０００５】
本発明は、このような従来の問題を解決するもので、この種の包装用箱において、箱の底面の浮き上がりをなくし、薬品の包装の際に安定度を増大させて、薬品を箱の中に入れやすくすること、さらに各底蓋間の隙間を可及的になくし改竄防止の効果を高めること、併せて従来の包装用箱と比べて組み立てが困難になることがなく、また、従来の貼り機や自動カートナーにも適用できるようにすることなど、を目的とする。
【課題を解決するための手段】
【０００６】
上記目的を達成するために、本発明の包装用箱は、４側面と、一対の上フラップ及び天蓋からなる天面と、一対の下フラップ及び一対の底蓋からなる底面とを備え、各底蓋は底面が略中央で２分割されてなり、底面の略中央で相互に対向する各縁部に凸部及び凹部が各縁部間で凸部と凹部が対応するように形成され、かつ各底蓋の一端部の凹部端に折り畳み線を介して連接する接着片が突出形成され、各底蓋の各接着片が近接する各下フラップに接着固定されるとともに各底蓋間で凸部が凹部から当該凹部側の底蓋の内側に差し込まれて組み合わせられ、４側面が底面とともに略扁平状に折り畳み可能に構成され、折り畳み状態からワンタッチで組み立てられる形式の包装用箱において、各底蓋の縁部に複数の凸部及び凹部が交互に設けられる、ことを要旨とする。
また、この包装用箱は、次のような構成を併せて備えることが好ましい。
（１）各底蓋において各凸部及び各凹部は各底蓋の縁部方向に対応する長さが不均等に形成される。
（２）各底蓋において各凸部が略台形状に突出形成され、当該略台形状の先端側の両側角部から両側の辺に向けて略円弧状に形成される。
（３）各底蓋において一端部の凹部とこれに連接する接着片との間の縁部が湾曲状に形成されて底面の略中央から対向する底蓋側に迫り出される。
（４）天面及び底面は幅方向が広く奥行方向が狭く形成されて、全体が横長の直方体形状に構成される。
【発明の効果】
【０００７】
本発明の包装用箱は、上記の構成により、次のような効果を奏する。
（１）箱の正面幅が広く奥行が狭い横長の包装用箱でも、各底蓋の縁部に複数の凸部及び凹部が当該凸部と凹部を交互に配置して設けられるので、各底蓋の凸部及び凹部が過度に長くならず、各底蓋間で各凸部と各凹部との良好な係合状態を得ることができ、箱の底面（各底蓋）の浮き上がりをなくし、薬品の包装の際に安定度を増大させて、薬品を箱の中に入れやすくすることができる。
（２）箱の正面幅が広く奥行が狭い横長の包装用箱でも、各底蓋の縁部に複数の凸部及び凹部が当該凸部と凹部を交互に配置して設けられるので、各底蓋の凸部及び凹部が過度に長くならず、各底蓋間で各凸部と各凹部との良好な係合状態が得られて、各底蓋の浮き上がりがなくなることで、各底蓋間の隙間を可及的になくし改竄防止の効果を高めることができる。
（３）箱の正面幅が広く奥行が狭い横長の包装用箱でも、各底蓋の縁部に複数の凸部及び凹部が当該凸部と凹部を交互に配置して設けられるので、箱の組み立て方が従来と同様で、従来の包装用箱と比べて組み立てが困難になることがなく、また、従来の貼り機や自動カートナーにも適用することができる。
【図面の簡単な説明】
【０００８】
【図１】本発明の一実施の形態における包装用箱の構成を一部を破断して示す斜視図
【図２】同包装用箱の各底蓋の構成を示す底面図
【図３】同包装用箱を構成する紙基材の展開図
【発明を実施するための形態】
【０００９】
次に、この発明を実施するための形態について図を用いて説明する。図１に本発明の包装用箱を、一部を破断して、示している。この場合、この包装用箱の正面を破断しており、正面の一部を２点鎖線を用いて示している。なお、ここで例示する包装用箱は、薬剤を収納するガラス製のボトルであるバイアルを複数本単位で包装する厚紙その他の紙材からなる箱で、この場合、５本のバイアルを縦置きで横一列の配置にして収容するようになっている。
【００１０】
図１に示すように、包装用箱Ｂは、正面１１、左右両側面１２、１４及び背面１３の４側面と、一対の上フラップ１６Ｌ、１６Ｒ及び天蓋１８からなる天面と、一対の下フラップ１７Ｒ、１７Ｌ及び一対の底蓋１９Ｆ、１９Ｒからなる底面とを備え、特に、各底蓋１９Ｆ、１９Ｒは底面が略中央で２分割されてなり、底面の略中央で相互に対向する各縁部が凹凸形状に形成されて、各縁部に複数の凸部１９１及び凹部１９２が交互に各縁部間で凸部１９１と凹部１９２が対応するように形成され、かつ、図２に示すように、各底蓋１９Ｆ、１９Ｒの一端部の凹部１９２端に折り畳み線１９４を介して連接する接着片１９３が突出形成されて、各底蓋１９Ｆ、１９Ｒの各接着片１９３が近接する各下フラップ１７Ｒ、１７Ｌに接着固定され、各底蓋１９Ｆ、１９Ｒ間で凸部１９１が対応する凹部１９２からその凹部１９２側の底蓋１９Ｆ又は１９Ｒに差し込まれて組み合わせられ、４側面のうち相互に隣り合う所定の各側面１１と１４、１２と１３が内側面を合せて、かつ各底蓋１９Ｆ、１９Ｒが当該各底蓋１９Ｆ、１９Ｒが連接される各側面１１、１３に内側面を合せて、４側面が底面とともに略扁平状に折り畳み可能に構成され、折り畳まれた状態からワンタッチで組み立てられる形式になっている。
【００１１】
この場合、包装用箱Ｂは、図１に示すように、天面及び底面の幅方向が広く奥行方向が狭く形成されて、全体が横に長い直方体形状に構成され、４側面は正面１１、背面１３が横に長い長方形に、左右両側面１２、１４が縦に長い長方形になっている。
天面にあっては、各上フラップ１６Ｌ、１６Ｒが左右両側面１２、１４の上端に連接して台形に形成され、天蓋１８が背面１３の上端に連接して天面の開口１０１と略同じ大きさの横長の長方形に形成されて、その先端に差し込み片１８１が併せて形成される。
底面にあっては、各下フラップ１７Ｌ、１７Ｒが左右両側面１２、１４の下端に連接して略三角形に近似する台形に形成される。前後の各底蓋１９Ｆ、１９Ｒは底面が前後に２分割された形状で、底面の略中央で相互に対向する縁部が凹凸状に形成されて、この縁部にそれぞれ、底面の略中央から対向する底蓋１９Ｒ又は１９Ｆ側に迫り出す２つの凸部１９１及び底面の略中央に一致する２つの凹部１９２を有する。この底蓋１９Ｆ、１９Ｒの場合、前側の底蓋１９Ｆにおいては縁部の左から凸部１９１、凹部１９２、凸部１９１、凹部１９２が順次形成されるとともにその右側端部に接着片１９３が突出形成され、これに対応して、後側の底蓋１９Ｒにおいては縁部の左側から凹部１９２、凸部１９１、凹部１９２、凸部１９１が順次形成されるとともにその左側端部に接着片１９３が突出形成される。ここで、これら底蓋１９Ｆ、１９Ｒの凸部１９１はそれぞれ、各底蓋１９Ｆ、１９Ｒの縁部方向に対応する長さ、つまり横方向の長さが不均等の略台形状に突出形成され、当該略台形状の先端側の両側角部から両側の辺に向けて略円弧状に形成され、凹部１９２はそれぞれ、各凸部１９１に対応して、各底蓋１９Ｆ、１９Ｒの縁部方向に対応する長さ、つまり横方向の長さが不均等の略台形状に切り欠き形成され、当該略台形状の先端側の両側角部から両側の辺に向けて略円弧状に形成される。そして、各接着片１９３は略三角形に近似する台形状に突出形成される。また、各底蓋１９Ｆ、１９Ｒにおいて左右各端部の凹部１９２とこれに連接する各接着片１９３との間の縁部１９５は、図２に示すように、湾曲状に形成されて、底面の略中央から対向する底蓋１９Ｆ、１９Ｒ側に迫り出される。
かかる包装用箱Ｂの各部の形状及び構造から、この箱Ｂは、正面１１と右側面１４、背面１３と左側面１２がそれぞれ内側面を合せて、かつ前側の底蓋１９Ｆと正面１１、後側の底蓋１９Ｒと背面１３がそれぞれ内側面を合せて、４側面が底面とともに略扁平状に折り畳み可能に構成される。
【００１２】
また、この場合、包装用箱Ｂは一枚のブランクシートから一体的に打ち抜かれて形成される一枚の紙基材からなる。
図３にこの紙基材Ｐを示している。図３に示すように、この紙基材Ｐは、一方の側部側（この場合、左側）に一方の側縁に接着片１５をなす縦長の帯状の接着片形状部１５Ｐを有し、包装用箱Ｂの背面１３をなす所定の大きさを有する横長の長方形の背面形状部１３Ｐが形成され、この背面形状部１３Ｐの（接着片形状部１５Ｐとは反対側の）一方の短辺側に、包装用箱Ｂの左側面１２をなす所定の大きさを有する縦長の長方形の左側面形状部１２Ｐ、正面１１をなす背面形状部１３Ｐと同じ大きさ、形状を有する正面形状部１１Ｐ、右側面１４をなす左側面形状部１２Ｐと同じ大きさ、形状を有する右側面形状部１４Ｐが順次、折れ線３１、３２、３３、３４を介して連続して形成され、さらに、背面形状部１３Ｐの一方の長辺側に折れ線３５を介して延出され、天蓋１８をなす所定の大きさを有する横長の長方形の天蓋形状部１８Ｐ、及びその延長上に折れ線３６を介して連続して形成され、天蓋１８の差し込み片１８１をなす横長の帯状の差し込み片形状部１８１Ｐと、背面形状部１３Ｐの他方の長辺側に折れ線３７を介して延出され、所定の大きさを有する横長の略長方形の後側の底蓋１９Ｒをなす後側底蓋形状部１９ＲＰと、左側面形状部１２Ｐの一方の短辺側に折れ線３８を介して延出され、上フラップ１６Ｌをなす所定の大きさを有する略台形の上フラップ形状部１６ＬＰと、左側面形状部１２Ｐの他方の短辺側に折れ線３９を介して延出され、下フラップ１７Ｌをなす所定の大きさを有する三角形に近似する台形の下フラップ形状部１７ＬＰと、正面形状部１１Ｐの他方の長辺側に折れ線４１を介して延出され、前側の底蓋１９Ｆをなす所定の大きさを有する横長の略長方形の前側底蓋形状部１９ＦＰと、右側面形状部１４Ｐの一方の短辺側に折れ線４２を介して延出され、上フラップ１６Ｒをなす一方の上フラップ形状部１６ＬＰと概ね同じ大きさ、形状を有する上フラップ形状部１６ＲＰと、右側面形状部１４Ｐの他方の短辺側に折れ線４３を介して延出され、下フラップ１７Ｒをなす一方の下フラップ形状部１７ＬＰと概ね同じ大きさ、形状を有する下フラップ形状部１７ＲＰとを備える。
ここで、前後の各正面形状部１１Ｐ、背面形状部１３Ｐの幅は左右の各側面形状部１２Ｐ、１４Ｐの幅よりも大きくなっている。天蓋形状部１８Ｐは箱本体１の天面開口１０１全面を閉塞可能な大きさを有している。前後の各底蓋形状部１９ＦＰ、１９ＲＰは底面が前後に２分割された形状で、かつ底面の略中央で相互に対向する縁部に凸部形状部１９１Ｐ及び凹部形状部１９２Ｐが形成され、前側の底蓋形状部１９ＦＰにおいては縁部の左側から凸部形状部１９１Ｐ、凹部形状部１９２Ｐ、凸部形状部１９１Ｐ、凹部形状部１９２Ｐが順次形成されるとともに、その右側端部に接着片形状部１９３Ｐが突出形成され、これに対応して、後側の底蓋形状部１９ＲＰにおいては縁部の左側から凸部形状部１９１Ｐ、凹部形状部１９２Ｐ、凸部形状部１９１Ｐ、凹部形状部１９２Ｐが順次形成されるとともに、その右側端部に接着片形状部１９３Ｐが突出形成される。これら底蓋形状部１９ＦＰ、１９ＲＰの凸部形状部１９１Ｐはそれぞれ、各底蓋形状部１９ＦＰ、１９ＲＰの縁部方向に対応する長さ、つまり横方向の長さが不均等の略台形状に突出形成され、当該略台形状の先端側の両側角部から両側の辺に向けて略円弧状に形成され、凹部形状部１９２Ｐはそれぞれ、各凸部形状部１９１Ｐに対応して、各底蓋形状部１９ＦＰ、１９ＲＰの縁部方向に対応する長さ、つまり横方向の長さが不均等の略台形状に切り欠き形成され、当該略台形状の先端側の両側角部から両側の辺に向けて略円弧状に形成される。そして、各接着片形状部１９３Ｐは略三角形に近似する台形状に突出形成される。なお、この台形の接着片形状部１９３Ｐの下辺に当たる部分に底蓋１９Ｆ、１９Ｒの折り畳み線１９４が付けられる。また、各底蓋形状部１９ＦＰ、１９ＲＰにおいて各端部の凹部形状部１９２Ｐとこれに連接する接着片形状部１９３Ｐとの間の縁部形状部１９５Ｐは底面の略中央から対向する底蓋形状部１９ＦＰ、１９ＲＰ側に迫り出されるように湾曲状に形成される。左右の各上フラップ形状部１６ＬＰ、１６ＲＰは包装用箱Ｂの天面開口１０１面の左右両側の一部を閉塞可能に同じ大きさを有している。左右の各下フラップ形状部１７ＬＰ、１７ＲＰは包装用箱Ｂの底面開口１０２面の左右両側の一部を閉塞可能に同じ大きさを有している。
【００１３】
このような構成からなる紙基材Ｐは、各形状部１１Ｐ〜１９ＦＰ、１９ＲＰが折り曲げられ、各接着箇所を接着されて、包装用箱Ｂが組み立てられる。
この箱の組み立てについて、主として図３を用い、必要に応じて図１を参照して説明する。なお、この説明では、包装用箱Ｂの組み立てについて経時的に述べるが、この説明は、この箱Ｂの実際の組み立て方、すなわち、自動貼り機を使った箱Ｂの組み立て工程を説明するものではなく、単に、紙基材Ｐの各形状部と箱Ｂの各面とを対応させた箱Ｂの成り立ちを説明するものである。
図３において、まず、背面形状部１３Ｐに対して折れ線３２を介して左側面形状部１２Ｐが、それぞれの内側面を内側にして、略直角に折り曲げられ、図１に示すように、背面１３及び左側面１２が形成される。続いて、この左側面１２に対して折れ線３３を介して正面形状部１１Ｐが、それぞれの内側面を内側にして、略直角に折り曲げられ、図１に示すように、正面１１が形成される。続いて、この正面１１に対して折れ線３４を介して右側面形状部１４Ｐが、それぞれの内側面を内側にして、略直角に折り曲げられ、図１に示すように、右側面１４が形成される。続いて、背面１３に対して折れ線３１を介して接着片形状部１５Ｐが、それぞれの内側面を内側にして、略直角に折り曲げられて、図１に示すように、接着片１５が形成され、この接着片１５が右側面１４の他方の側縁の内側に接着剤を介して接着固定される。そして左側面１２及び右側面１４に対して折れ線３９、４３を介して各下フラップ形状部１７ＬＰ、１７ＲＰが、それぞれの内側面を内側にして、略直角に折り曲げられ、図１に示すように、各下フラップ１７Ｌ、１７Ｒが形成される。続いて、背面１３及び正面１１に対して折れ線３７、４１を介して各底蓋形状部１９ＲＰ、１９ＦＰが、それぞれの内側面を内側にして、略直角に折り曲げられて、図１及び図２に示すように、後側、前側の各底蓋１９Ｒ、１９Ｆが形成され、前側の底蓋１９Ｆの台形の接着片１９３が左右方向一方の下フラップ１７Ｒの外側面に接着剤を介して固定されるとともに、後側の底蓋１９Ｒの台形の接着片１９３が左右方向他方の下フラップ１７Ｌの外側面に接着剤を介して固定され、前側の底蓋１９Ｆの凸状部１９１が後側の底蓋１９Ｒの凹部１９２から底蓋１９Ｒの内側面に差し込まれるとともに、後側の底蓋１９Ｒの凸状部１９１が前側の底蓋１９Ｆの凹部１９２から底蓋１９Ｆの内側面に差し込まれて底面が形成される。
そして、この箱Ｂは、既述のとおり、前側、後側の各底蓋１９Ｆ、１９Ｒに折り畳み線１９４、１９４が形成されており、この折り畳み線１９４、１９４を谷にして折り畳まれると、前側、後側の各底蓋１９Ｒ、１９Ｆが２つに分かれて、前側の底蓋１９Ｆ及び下フラップ１７Ｒがそれぞれ正面１１及び右側面１４との間の折れ線４１、４３を介して正面１１と右側面１４との間に折り曲げられ、後側の底蓋１９Ｒ及び下フラップ１７Ｌがそれぞれ背面１３及び左側面１２との間の折れ線３７、３９を介して背面１３と左側面１２との間に折り曲げられて、正面１１の内側面と右側面１４の内側面が対向し、背面１３の内側面と左側面１２の内側面が対向した状態で、箱全体が扁平状に折り畳まれる。なお、この時点で、天蓋１８及び各上フラップ１６Ｌ、１６Ｒはそれぞれ、箱の背面１３及び左右の各側面１２、１４の天面開口１０１側の端部延長上に延ばされたままである。
このようにして包装用箱Ｂは折り畳まれ、この状態で、バイアルを包装する工場などに出荷される。
【００１４】
そして、バイアルを包装する工場では、この箱Ｂが次のようにして組み立てられ、バイアルが収容された後、天面開口１０１が天蓋１８などにより閉塞されて包装される。
まず、包装用箱Ｂは、既述のとおりに折り畳まれた状態から、図１に示すように、左側面１２に対して背面１３を引き離し、右側面１４に対して正面１１を引き離すように、４側面を起こすと、正面１１及び右側面１４との間から前側の底蓋１９Ｆが折り畳み線１９４を介して曲げ戻されるとともに背面１３及び左側面１２との間から後側の底蓋１９Ｒが折り畳み線１９４を介して曲げ戻されて、各底蓋１９Ｆ、１９Ｒの対向する縁部が底面の中央で合わせられるとともに、前側の底蓋１９Ｆの縁部の凸部１９１が後側の底蓋１９Ｒの縁部の凹部１９２から後側の底蓋１９Ｒの内側に差し込まれ、後側の底蓋１９Ｒの縁部の凸部１９１が前側の底蓋１９Ｆの縁部の凹部１９２から前側の底蓋１９Ｆの内側に差し込まれる。このとき、各底蓋１９Ｆ、１９Ｒにおいて各凸部１９Ｆ、１９Ｒが略台形状に突出形成され、当該略台形状の先端側の両側角部から両側の辺に向けて略円弧状に形成されており、また、各凸部１９１及び各凹部１９２の各底蓋１９Ｆ、１９Ｒの縁部方向に対応する長さ、つまり横方向の長さが不均等に形成されていることで、前側の底蓋１９Ｆの縁部の凸部１９１が後側の底蓋１９Ｒの内側へ、後側の底蓋１９Ｒの縁部の凸部１９１が前側の底蓋１９Ｆの内側へ円滑かつ確実に差し込まれる。そして、前後の各底蓋１９Ｆ、１９Ｒが平坦でかつ前後の各底蓋１９Ｆ、１９Ｒ間の各凸部１９１が底面の中央で完全な係合状態（つまり、ぴったりと噛み合ったロック状態）の略四角形状に戻されて、底面が形成される。これにより、包装用箱Ｂの底面は、前後の各底蓋１９Ｆ、１９Ｒ間に隙間が生じることなく、完全に閉塞される。この場合、各底蓋１９Ｆ、１９Ｒにおいて一端部の凹部１９２とこれに連接する接着片１９３との間の縁部１９５が湾曲状に形成されて底面の略中央から対向する底蓋１９Ｆ又は１９Ｒ側に迫り出されるので、この部分が隙間を生じることなく確実に閉じられる。このようにして、図１に示すように、包装用箱Ｂは天蓋１８及び各上フラップ１６Ｌ、１６Ｒが背面１３及び左右の各側面１２、１４の上部延長上に延ばされた状態の箱形に戻される。このように包装用箱Ｂは箱形に戻すだけのワンタッチにより組み立てられる。
そして、この箱Ｂの組み立てとともに、合計５本のバイアルがそれぞれ、縦置きにして、箱Ｂ内に収納される。
このようにして５本のバイアルが箱Ｂ内に入れられると、図３を参照すると、左側面１２及び右側面１４に対して折れ線３８、４２を介して各上フラップ形状部１６ＬＰ、１６ＲＰがそれぞれの内側面を内側にして略直角に折り曲げられて、各上フラップ１６Ｌ、１６Ｒが形成され（図１参照）、箱Ｂの天面開口１０１上に配置される。続いて、背面１３に対して折れ線３５を介して天蓋形状部１８Ｐが、それぞれの内側面を内側にして、略直角に折り曲げられ、天蓋１８が形成される（図１参照）。そして、天蓋１８の差し込み片形状部１８１Ｐが内側に略直角に折り曲げられて、差し込み片１８１が形成され（図１参照）、この差し込み片１８１が正面１１の内側に差し込まれる。これにより箱Ｂの天面開口１０１が閉塞されて、５本のバイアルの包装が完了する。
【００１５】
なお、この包装用箱Ｂは、天蓋１８を上方に引き上げることにより、箱の天面開口１０１が開放され、バイアルを１本ずつ取り出すことができる。
【００１６】
以上説明したように、この包装用箱Ｂは、箱の正面幅が広く奥行が狭い横長の包装用箱であっても、各底蓋１９Ｆ、１９Ｒの縁部に複数の凸１９１部及び凹部１９２が当該凸部１９１と凹部１９２を交互に配置して設けられるので、各底蓋１９Ｆ、１９Ｒの凸部１９１及び凹部１９２が過度に長くならず、各底蓋１９Ｆ、１９Ｒ間で各凸部１９１と各凹部１９２との良好な係合状態を得ることができ、箱Ｂの底面（各底蓋１９Ｆ、１９Ｒ）の浮き上がりをなくし、薬品の包装の際に安定度を増大させて、薬品を箱Ｂの中に入れやすくすることができる。
また、箱の正面幅が広く奥行が狭い横長の包装用箱であっても、各底蓋１９Ｆ、１９Ｒの縁部に複数の凸部１９１及び凹部１９２が当該凸部１９１と凹部１９２を交互に配置して設けられるので、各底蓋１９Ｆ、１９Ｒの凸部１９１及び凹部１９２が過度に長くならず、各底蓋１９Ｆ、１９Ｒ間で各凸部１９１と各凹部１９２との良好な係合状態を得ることができ、各底蓋１９Ｆ、１９Ｒの浮き上がりがなくなることで、各底蓋１９Ｆ、１９Ｒ間の隙間を可及的になくし改竄防止の効果を高めることができる。
さらに、箱の正面幅が広く奥行が狭い横長の包装用箱であっても、各底蓋１９Ｆ、１９Ｒの縁部に複数の凸１９１部及び凹部１９２が当該凸部１９１と凹部１９２を交互に配置して設けられるので、箱Ｂの組み立て方が従来と同様で、従来の包装用箱と比べて組み立てが困難になることがなく、また、従来の貼り機や自動カートナーにも適用することができる。
【００１７】
また、この包装用箱Ｂにあっては、各底蓋１９Ｆ、１９Ｒにおいて各凸部１９１及び各凹部１９２は各底蓋１９Ｆ、１９Ｒの縁部方向に対応する長さ、つまり横方向の長さが不均等に形成されるので、前側の底蓋１９Ｆの凸部１９１を後側の底蓋１９Ｒの凹部１９２から後側の底蓋１９Ｒの内側へ、後側の底蓋１９Ｒの凸部１９１を前側の底蓋１９Ｆの凹部１９２から前側の底蓋１９Ｆの内側へ、それぞれ、円滑に差し込むことができる。この場合、各凸部１９１が略台形状に突出形成され、当該略台形状の先端側の両側角部から両側の辺に向けて略円弧状に形成されるので、各凸部１９１の差し込みの円滑性はより増大する。
さらに、この包装用箱Ｂにあっては、各底蓋１９Ｆ、１９Ｒにおいて一端部の凹部１９２とこれに連接する接着片１９３との間の縁部１９５が湾曲状に形成されて底面の略中央から対向する底蓋１９Ｆ又は１９Ｒ側に迫り出されるので、この部分、すなわち、前後の各１９Ｆ、１９Ｒ及び下フラップ１７Ｌ、１７Ｒの相互の突合せ部分に隙間が生じることなく底面を確実に閉じることができ、この点でも、改竄防止の効果を高めることができる。
この包装用箱Ｂは、既述のとおり、天面及び底面の幅が広く奥行が狭く形成されて、全体が横長の直方体形状になっており、この箱の底面構造はかかる細長い箱に特に有効である。
【００１８】
なお、この実施の形態では、包装用箱を５本のバイアルを一列に配置して収容する形式に形成して、５本単位のバイアルの包装に対応するものとしたが、この一列に複数本のバイアルを複数列に亘って収容する形式に形成して、所定の複数本単位のバイアルの包装に対応するものとしてもよく、このようにしても各底蓋に複数の凸部及び凹部を凸部と凹部を交互に設けることで、上記実施の形態と同様の作用効果を奏することができる。また、この底蓋の凹凸形状は、箱の正面幅が広く奥行が狭い横長の包装用箱ばかりでなく、略立方体形状又はこれに近似する形状の箱のように、箱の正面幅及び奥行が同じような寸法又は特に大きな寸法差がない箱においても同様に適用可能であり、特に、大きな箱に適用した場合に有効で、上記実施の形態と同様の作用効果がある。
また、この実施の形態にあっては、この包装用箱Ｂについてバイアル包装用の箱として例示したが、本発明の包装用箱はバイアル包装用の箱に限定されるものではなく、バイアルと同様のボトル形の各種の容器その他の包装に利用できることは勿論である。
【符号の説明】
【００１９】
Ｂ  包装用箱
１０１  開口
１０２  開口
１１  正面
１２  左側面
１３  背面
１４  右側面
１５  接着片
１６Ｌ  上フラップ
１６Ｒ  上フラップ
１７Ｌ  下フラップ
１７Ｒ  下フラップ
１８  天蓋
１８１  差し込み片
１９Ｆ  前側の底蓋
１９Ｒ  後側の底蓋
１９１  凸部
１９２  凹部
１９３  接着片
１９４  折り畳み線
１９５  端部の接着片と凹部との間の縁部
Ｐ  紙基材
１１Ｐ  正面形状部
１２Ｐ  左側面形状部
１３Ｐ  背面形状部
１４Ｐ  右側面形状部
１５Ｐ  接着片形状部
１６ＬＰ  上フラップ形状部
１６ＲＰ  上フラップ形状部
１７ＬＰ  下フラップ形状部
１７ＲＰ  下フラップ形状部
１８Ｐ  天蓋形状部
１８１Ｐ  差し込み片形状部
１９ＦＰ  前側底蓋形状部
１９ＲＰ  後側底蓋形状部
１９５Ｐ  縁部形状部
３１〜４３  折れ線
【図１】
2014125225.tif 000003
【図２】
2014125225.tif 000004
【図３】
2014125225.tif 000005